(57)【要約】【課題】高周波専用蛍光ランプを使用する照明装置において、従来の蛍光ランプと同等の明るさであるエコモードで点灯することを容易にし、節電を図る。【解決手段】照明装置は、器具ブロックＡとワイヤレス送信機Ｂから構成される。器具ブロックＡは、高周波専用蛍光ランプ１と、蛍光ランプ１を高周波点灯させる点灯回路部３と、ワイヤレス送信機Ｂから送られる信号に基づいて、蛍光ランプ１の光出力を制御するための点灯制御信号を生成する調光制御部４と、ワイヤレス送信機Ｂから送信される信号を受信する信号受信部６を有する。ワイヤレス送信機Ｂは、専用蛍光ランプ１をエコモードに切り替えるエコボタンを備えるとともに、調光点灯時における光出力の設定値がエコモードにおける光出力の設定値より小さいとき、順送りボタンによって調光レベルを明方向に連続して変化させる際に、蛍光ランプ１をエコモードの明るさで停止して維持する。【選択図】図１
2010186708.tif 000002
【特許請求の範囲】
【請求項１】
光源と、前記光源を点灯する点灯回路部と、前記光源の全灯、調光、消灯の各モードにおける光出力の設定値を記憶する記憶部と、前記点灯回路部を制御するための調光制御信号を、前記記憶部に記憶された前記設定値に基づいて生成する調光制御部と、所定のスイッチを操作することによって、前記光源を全灯、調光、消灯の各モードで点灯させるように前記調光制御部を操作する操作部と、を備える照明装置であって、
前記記憶部は、さらに、
前記光源の全灯の所定割合における光出力の設定値を記憶し、
前記操作部は、
前記光源を全灯の所定割合の光出力に切り替える操作を行う特定のスイッチと、
前記光源を前記調光モードで点灯させた際に、前記光源の光出力を明るい方向に連続して変化させる明スイッチと、
前記光源を前記調光モードで点灯させた際に、前記光源の光出力を暗い方向に連続して変化させる暗スイッチと、
を有し、
前記調光制御部は、
前記記憶部に記憶された前記調光モードの設定値が、全灯の所定割合の前記設定値より小ければ、前記明スイッチを操作した際に、前記光源を全灯の所定割合の光出力で停止させるように構成された照明装置。
【請求項２】
請求項１に記載の照明装置であって、
音声を鳴動する報知部を備え、
前記調光制御部は、
前記光源を前記全灯の所定割合の光出力で停止させた際に、前記報知部から音声を鳴動させることをように構成された照明装置。
【請求項３】
請求項１又は２に記載の照明装置であって、
前記光源は、
高周波専用蛍光ランプである照明装置。
【請求項４】
請求項３に記載の照明装置であって、
前記全灯の所定割合の光出力は、
ランプ電力が同じ場合における従来の蛍光ランプの全灯の光出力と同等である照明装置。
【請求項５】
請求項３に記載の照明装置であって、
前記全灯の所定割合の光出力は、
前記高周波専用蛍光ランプの全灯の７０〜９０％の光出力である照明装置。
【請求項６】
請求項１乃至５のいずれかに記載の照明装置であって、
前記操作部は、
ワイヤレス送信機であり、
前記調光制御部は、
前記ワイヤレス送信機から送信された信号を受信する受信部を備える照明装置。
【発明の詳細な説明】
【技術分野】
【０００１】
本発明は、ユーザの操作するワイヤレス送信機によって、光源の点灯状態を遠隔制御する照明装置に関する。
【背景技術】
【０００２】
従来から、天井や壁などに取り付けられた蛍光灯などの照明器具を、ワイヤレス送信機によって遠隔制御する照明装置が多用されている。
【０００３】
例えば、図５に示すように、器具ブロックＣとワイヤレス送信機Ｄから構成される照明装置が提案されている。器具ブロックＣは、蛍光ランプ５１と、豆球５２と、蛍光ランプ５１を高周波点灯させる点灯回路部５３と、蛍光ランプ５１の光出力をメモリ５５に記憶された設定値に制御する制御回路部５４と、制御回路部５４の制御に応じてスイッチング素子Ｑ１、Ｑ２を交互にオン／オフする駆動回路部５６と、ワイヤレス送信機Ｄからのワイヤレス信号を受信する信号受信部５７、豆球５２を点灯させる点灯回路部５８を備える。
【０００４】
この器具ブロックＣは、図６に示すように天井取付型であって、器具本体Ｃ１と透光性を有する合成樹脂により形成されたカバー（グローブ）５９から構成される。器具本体Ｃ１は合成樹脂により略円盤状に形成されており、器具本体Ｃ１の下面に上述した各回路部５３〜５８や、蛍光ランプ５１及び豆球５２が取り付けられる。そして、器具本体Ｃ１は、天井面に配設された引掛シーリングなどの配線器具に接続される。
【０００５】
ワイヤレス送信機Ｄは、筐体６１の操作面に、蛍光ランプ５１を全灯させるために押操作する全灯スイッチ６２と、蛍光ランプ５１を全灯時よりも暗い所定の光出力で点灯させるために押操作する調光スイッチ６３と、蛍光ランプ５１を消灯させるために押操作する消灯スイッチ６５と、全灯時又は調光時における蛍光ランプ５１の光出力の設定値を漸次明るくするために押操作する明スイッチ６６と、全点灯時及び調光点灯時における蛍光ランプ５１の光出力の設定値を暗くするために押操作する暗スイッチ６７が設けられている。
【０００６】
このように構成された照明装置において、ワイヤレス送信機Ｄの全灯スイッチ６２又は調光スイッチ６３が押操作されると、ワイヤレス送信機Ｄから全灯状態又は調光状態に切り替えるワイヤレス信号が送信され、信号受信部５７がこのワイヤレス信号を受信して制御回路部５４に出力する。
【０００７】
制御回路部５４は、受信したワイヤレス信号に基づいて、メモリ５５から全灯時又は調光時における光出力の設定値を読み出し、設定値に基づく調光制御信号を駆動回路部５６に出力する。
【０００８】
駆動回路部５６は、制御回路部５４から送られる調光制御信号に応じた周波数でスイッチング素子Ｑ１，Ｑ２をオン／オフさせ、蛍光ランプ５１を全点灯状態又は調光状態で点灯させる。
【０００９】
上記した従来の照明装置は、調光点灯時における蛍光ランプ５１の光出力 (明るさ)の設定値を、使用状況に応じてユーザの好みの明るさ、例えば、テレピを見るのに適当な明るさに設定することができる。
【００１０】
それには、ワイヤレス送信機Ｄの調光スイッチ６３を押操作して調光点灯させた際に、明スイッチ６６又は暗スイッチ６７を押操作して蛍光ランプ５１の明るさを漸次調節し、ユーザが好む明るさになったところで押操作を解除する。
【００１１】
メモリ５５は、この時の光出力の設定値を記憶し、調光点灯時における蛍光ランプ５１の光出力の設定値を更新する。これにより、次回の調光点灯時には、ワイヤレス送信機Ｄの調光スイッチ６３を押操作するだけで、蛍光ランプ５１をユーザの好みの明るさで点灯させることができる。
【００１２】
近年、インバータ式点灯回路と組み合わせることにより、より高効率で点灯する高周波専用の蛍光ランプが開発されている。この高周波専用蛍光ランプを使用する照明器具は、従来の蛍光ランプと同等の明るさを、より少ないランプ電力で得ることができる。
【００１３】
例えば、一般住宅の居室用として広く使われている環型蛍光ランプ（ＦＣＬ型）のランプ電力が４０Ｗ型と３２Ｗ型を組み合わせた従来の照明器具では、ランプ電力の合計６８Ｗで５４９０ｌｍの全光束が得られる。
【００１４】
これに対して、同等ランプ電力の高周波専用二重環型蛍光ランプ（ＦＨＤ型）を使用する照明器具では、同等のランプ電力６８Ｗで６７５０ｌｍの全光束が得られる。
【００１５】
従って、高周波専用蛍光ランプを用いる照明器具で、従来の蛍光ランプを用いる照明器具と同等の明るさを得るには、８１％の調光を行えばよいことが分かる。
【００１６】
しかしながら、高周波専用蛍光ランプを使用する照明装置において、従来の照明装置と同等の構成では、従来の蛍光ランプと同等の明るさで点灯して節電を図ることが容易ではなかった。また、任意の明るさに調光操作する際に、ユーザに節電を促す操作方法とはなっていなかった。
【発明の概要】
【発明が解決しようとする課題】
【００１７】
本発明は、上記の事情に鑑みてなされたもので、高周波専用蛍光ランプを使用する照明装置において、従来の蛍光ランプと同等の明るさに節電して点灯する場合の操作を容易にし、かつ、節電して点灯することを促すことのできる照明装置を提供することを目的とする。
【課題を解決するための手段】
【００１８】
本発明の照明装置は、光源と、前記光源を点灯する点灯回路部と、前記光源の全灯、調光、消灯の各モードにおける光出力の設定値を記憶する記憶部と、前記点灯回路部を制御するための調光制御信号を、前記記憶部に記憶された前記設定値に基づいて生成する調光制御部と、所定のスイッチを操作することによって、前記光源を全灯、調光、消灯の各モードで点灯させるように前記調光制御部を操作する操作部と、を備える照明装置であって、前記記憶部は、さらに、前記光源の全灯の所定割合における光出力の設定値を記憶し、前記操作部は、前記光源を全灯の所定割合の光出力に切り替える操作を行う特定のスイッチと、前記光源を前記調光モードで点灯させた際に、前記光源の光出力を明るい方向に連続して変化させる明スイッチと、前記光源を前記調光モードで点灯させた際に、前記光源の光出力を暗い方向に連続して変化させる暗スイッチと、を有し、前記調光制御部は、前記記憶部に記憶された前記調光モードの設定値が、全灯の所定割合の前記設定値より小ければ、前記明スイッチを操作した際に、前記光源を全灯の所定割合の光出力で停止させることを特徴とするものである。
【００１９】
この構成により、操作部のスイッチ操作によって、光源の全灯と調光点灯に加え、全灯の所定割合の点灯を容易に選択することができると共に、操作部の明スイッチを操作した際に、光源を全灯の所定割合で点灯して保持することにより、ユーザに節電を促すことができる。
【００２０】
また、本発明は、上記の照明装置において、音声を鳴動する報知部を備え、前記調光制御部は、前記光源を前記全灯の所定割合の光出力で停止させた際に、前記報知部から音声を鳴動させることを特徴とするものを含む。
【００２１】
この構成により、光源を調光点灯する際に、全灯の所定割合で点灯していることをユーザに容易に認識させることができ、節電を促すことが可能となる。
【００２２】
更に、本発明は、上記の照明装置において、前記光源は、高周波専用蛍光ランプであることを特徴とするものを含む。
【００２３】
この構成により、高周波専用蛍光ランプを使用する照明装置において、従来の蛍光ランプの全灯に見合う明るさで点灯させることが容易となり、節電を図ることができる。
【００２４】
また、本発明は、上記の照明装置において、前記全灯の所定割合の光出力は、ランプ電力が同じ場合における従来の蛍光ランプの全灯の光出力と同等であることを特徴とするものを含む。
【００２５】
この構成により、高周波専用蛍光ランプを使用する照明装置において、従来の蛍光ランプの全灯と同等の明るさで点灯させることが容易となり、節電を図ることができる。
【００２６】
また、本発明は、上記の照明装置において、前記全灯の所定割合の光出力は、前記高周波専用蛍光ランプの全灯の７０〜９０％の光出力であることを特徴とするものも含む。
【００２７】
この構成により、高周波専用蛍光ランプを使用する照明装置において、従来の蛍光ランプの全灯に見合う明るさで点灯させることが容易となり、節電を図ることができる。
【００２８】
また、本発明は、上記の照明装置において、前記操作部は、ワイヤレス送信機であり、前記調光制御部は、前記ワイヤレス送信機から送信された信号を受信する受信部を備えることを特徴とするものも含む。
【００２９】
この構成により、操作部のスイッチ操作によって、光源の全灯と調光点灯に加え、全灯の所定割合の点灯を容易に選択することができると共に、操作部の明スイッチを操作した際に、光源を全灯の所定割合で点灯して保持することにより、ユーザに節電を促すことができる。
【発明の効果】
【００３０】
本発明によれば、高周波専用蛍光ランプを使用する照明装置において、従来の蛍光ランプと同等の明るさに節電して点灯する場合の操作を容易にし、かつ、節電して点灯することを促すことのできる照明装置を提供できる。
【図面の簡単な説明】
【００３１】
【図１】本発明の実施の形態に係る照明装置の概略構成を示す図
【図２】本発明の実施の形態に係る照明装置のワイヤレス送信機の外観を示す平面図
【図３】本発明の実施の形態に係る照明装置の動作を説明するためのタイミングチャート
【図４】本発明の実施の形態に係る照明装置の動作を説明するためのタイミングチャート
【図５】従来の照明装置の概略構成を示す図
【図６】従来の照明装置の概略構成を示す分解斜視図
【発明を実施するための形態】
【００３２】
以下、本発明の実施の形態に係る照明装置について、図面を用いて説明する。図１は本発明の実施の形態に係る照明装置の概略構成を示す図である。
【００３３】
図１に示すように、本実施の形態の照明装置は、器具ブロックＡとワイヤレス送信機Ｂから構成される。
【００３４】
器具ブロックＡは、例えば図６に示すような天井取付型であって、高効率の高周波専用蛍光ランプ１と、豆電球からなる常夜灯２と、蛍光ランプ１を高周波点灯させる点灯回路部３と、蛍光ランプ１の光出力を制御するための調光制御信号および常夜灯２のオン／オフを制御する点灯制御信号を生成する調光制御部４と、調光制御部４の点灯制御信号に応じて常夜灯２を点灯および消灯する常夜灯点灯回路部５と、ワイヤレス送信機Ｂから送信される、例えば赤外線などの光信号を受信する信号受信部６を有する構成である。
【００３５】
点灯回路部３は駆動回路部３１を備え、調光制御部４で生成された調光制御信号の電圧値をＶ／Ｆ変換して得られる高周波電圧で、不図示のスイッチング素子を交互にオン／オフすることにより、商用電源ＡＣの交流電圧を整流して得られる直流電圧を高周波電圧に変換し、蛍光ランプ１の光出力を変化させる。
【００３６】
調光制御部４はマイクロコンピュータ等から構成され、信号受信部６から送られるワイヤレス信号に応じて、後述する記憶部４１に記憶された蛍光ランプ１の全灯、調光、消灯の各モード、及び後述するエコモードにおける光出力の設定値を読み出し、読み出した設定値に基づいて蛍光ランプ１の光出力を制御する調光制御信号と、常夜灯２のオン／オフを制御する点灯制御信号を生成する。
【００３７】
記憶部４１は、ＲＡＭ、ＥＥＰＲＯＭ、及びフラッシュメモリ等の半導体メモリから構成され、蛍光ランプ１の全灯、調光、消灯の各モード、及び後述するエコモードにおける光出力の設定値を記憶する。
【００３８】
図２は、ワイヤレス送信機Ｂの外観構成を示す平面図である。
【００３９】
図２に示すように、ワイヤレス送信機Ｂは手で握れる程度の大きさに形成された扁平な筐体１０を有し、その表面に、蛍光ランプ１を全灯させる際に押操作する全灯ボタン１１と、蛍光ランプ１を全点灯時よりも暗い所定の光出力で点灯させる際に押操作する調光ボタン１２と、常夜灯２を点灯させる際に押操作する常夜灯ボタン１３と、蛍光ランプ１を消灯させるために押操作する消灯ボタン１４と、節電の目的で、全灯の所定割合の調光レベルで点灯する際に押操作するエコボタン１５と、全灯時および調光点灯時における蛍光ランプ１の光出力の設定値を漸次明るくする際に押操作する明ボタン１６と、全灯時及び調光点灯時における蛍光ランプ１の光出力の設定値を漸次暗くする際に押操作する暗ボタン１７が設けられている。
【００４０】
次に、このように構成された本実施の形態に係る照明装置の動作について説明する。
【００４１】
（動作例１）
まず、ワイヤレス送信機Ｂの全灯ボタン１１を押操作した際における照明装置の動作について説明する。
【００４２】
ワイヤレス送信機Ｂの全灯ボタン１１を押操作すると、ワイヤレス送信機Ｂから蛍光ランプ１を全点灯状態に切り替えるワイヤレス信号が送信される。
【００４３】
器具ブロックＡの信号受信部６は、このワイヤレス信号を受信して調光制御部４に出力する。調光制御部４は、送信されたワイヤレス信号に基づいて、記憶部４１から全灯時における光出力の設定値を読み出し、調光制御信号を生成して点灯回路部３に出カする。
【００４４】
点灯回路部３の駆動回路部３１は、調光制御信号に応じた周波数で不図示のスイッチング素子をオン／オフさせ、蛍光ランプ１を全灯状態である定格出力で点灯させる。
【００４５】
、
このような動作例１によれば、ワイヤレス送信機Ｂの全灯ボタン１１を押操作することによって、器具ブロックＡの蛍光ランプ１を定格出力で点灯させることができる。
【００４６】
（動作例２）
次に、ワイヤレス送信機Ｂの調光ボタン１２を押操作した際における照明装置の動作について説明する。
【００４７】
ワイヤレス送信機Ｂの調光ボタン１２を押操作すると、ワイヤレス送信機Ｂから蛍光ランプ１を調光状鰻に切り替えるためのワイヤレス信号が送信される。
【００４８】
器具ブロックＡの信号受信部６は、このワイヤレス信号を受信して調光制御部４に出力する。調光制御部４は、送信されたワイヤレス信号に基づいて、記憶部４１から調光時における光出力の設定値を読み出し、調光制御信号を生成して点灯回路部３に出カする。
【００４９】
点灯回路部３の駆動回路部３１は、調光制御信号に応じた周波数でスイッチング素子をオン／オフさせ、蛍光ランプ１を所定の光出力で点灯させる。
【００５０】
、
このような動作例２によれば、ワイヤレス送信機Ｂの調光ボタン１２を押操作することによって、蛍光ランプ１を所定の明るさに調光して点灯させることができる。
【００５１】
（動作例３）
この動作例３は、ワイヤレス送信機Ｂのエコボタン１５を押操作した際における照明装置の動作である。
【００５２】
ワイヤレス送信機Ｂのエコボタン１５を押操作すると、ワイヤレス送信機Ｂから蛍光ランプ１を従来の蛍光ランプの全灯と同等の明るさで点灯するエコモードに切り替えるワイヤレス信号が送信される。
【００５３】
器具ブロックＡの信号受信部６は、このワイヤレス信号を受信して調光制御部４に出力する。調光制御部４は、送信されたワイヤレス信号に基づいて、記憶部４１からエコモード時における光出力の設定値を読み出し、調光制御信号を生成して点灯回路部３に出カする。
【００５４】
点灯回路部３の駆動回路部３１は、調光制御信号に応じた周波数でスイッチング素子をオン／オフさせ、蛍光ランプ１をエコモードである従来の蛍光ランプと同等の明るさとなる約８１％の調光レベルで点灯させる。
【００５５】
このような動作例３によれば、ワイヤレス送信機Ｂのエコボタン１５を押操作することで、器具ブロックＡの蛍光ランプ１を従来の蛍光ランプと同等の明るさで点灯できる。これにより、ランプ電力を低減させることができる。
【００５６】
次に、上記した動作例２のように調光制御されて点灯した蛍光ランプ１の明るさを変更する際の動作について説明する。
【００５７】
（動作例４）
まず、調光点灯時における光出力の設定値がエコモードにおける光出力の設定値より小さい場合について説明する。図３は、動作例４を説明するためのタイミングチャートである。
【００５８】
蛍光ランプ１が予め設定された光出力で調光制御されて点灯した状態（図３におけるａ）で、ワイヤレス送信機Ｂの明ボタン１６を押操作すると、ワイヤレス送信機Ｂから蛍光ランプ１の光出カを増加させるワイヤレス信号が送信される。
【００５９】
信号受信部６がこのワイヤレス信号を受信すると、調光制御部４は蛍光ランプ１の光出カを増加させる調光制御信号を生成して点灯回路部３に出カする。
【００６０】
点灯回路部３の駆動回路部３１は、この調光制御信号に応じてスイッチング周波数を漸次変化させ、蛍光ランプ１の光出力を設定されていた調光レベル（図３におけるａ）から徐々に増加させる。
【００６１】
そして、なおもワイヤレス送信機Ｂの明ボタン１６を押操作し続けると、蛍光ランプ１の光出力がやがてエコモードとして設定された光出力に到達する（図３におけるｂ）。
【００６２】
ここにおいて、調光制御部４は蛍光ランプ１の光出力がエコモードとして設定された光出力に達したと判断し、このときの調光制御信号を継続して点灯回路部３に送る。
【００６３】
また、同時にブザー７を第１の報知音、例えば、「ピッ」というアラーム音で鳴動させるよう制御する。これにより、ユーザは蛍光ランプ１がエコモードで点灯していることを容易に知ることができる。
【００６４】
点灯回路部３は、スイッチング周波数を一定に保持し、蛍光ランプ１を図３におけるｂ〜ｃで示すように、エコモードの明るさで連続点灯させる。この状態は、ワイヤレス送信機Ｂの明ボタン１６を押操作から解除し、ワイヤレス信号が途絶えても持続される。
【００６５】
なお、図３に示すａ〜ｂの途中で明ボタン１６の押操作を止めた場合は、その時点における光出力の設定値が記憶部４１に記憶され、予め記憶されていた光出力（図３におけるａ）の設定値が更新される。
【００６６】
このような動作例４によれば、調光点灯時における光出力の設定値がエコモードにおける光出力の設定値より小さい場合に、ワイヤレス送信機Ｂの明ボタン１６を押操作することで、蛍光ランプ１をエコモードである従来の蛍光ランプと同等の明るさで点灯させ、ユーザに節電を促すことができる。
【００６７】
（動作例５）
この動作例５は、調光点灯時における光出力の設定値がエコモードにおける光出力と同等、若しくは大きい場合の動作である。ここでは、蛍光ランプ１がエコモードで調光制御されて点灯している場合について説明する。
【００６８】
蛍光ランプ１がエコモードで調光制御されて点灯した状態（図３におけるｄ）で、ワイヤレス送信機Ｂの明ボタン１６を押操作すると、ワイヤレス送信機Ｂから蛍光ランプ１の光出カを増加させるワイヤレス信号が送信される。
【００６９】
信号受信部６がこのワイヤレス信号を受信すると、調光制御部４は蛍光ランプ１の光出カを増加させる調光制御信号を生成して点灯回路部３に出カする。
【００７０】
点灯回路部３の駆動回路部３１は、この調光制御信号に応じてスイッチング周波数を変化させ、蛍光ランプ１の光出力をエコモードで調光制御されていた調光レベル（図３におけるｄ）から徐々に増加させる。
【００７１】
そして、なおもワイヤレス送信機Ｂの明ボタン１６を押操作し続けると、蛍光ランプ１の光出力がやがて全灯の光出力に到達する（図３におけるｅ）。
【００７２】
調光制御部４は、蛍光ランプ１の光出力が全灯の光出力に達したと判断し、全灯の調光制御信号を継続して点灯回路部３に送る。また同時に、ブザー７を第２の報知音、例えば、「ピピッ」というアラーム音で鳴動させるよう制御する。
【００７３】
以後、点灯回路部３はスイッチング周波数を一定に保持し、蛍光ランプ１を図３における全灯の明るさで連続点灯させる。この状態は、ワイヤレス送信機Ｂの明ボタン１６を押操作から解除し、ワイヤレス信号が途絶えても持続される。
【００７４】
なお、図３に示すｄ〜ｅの途中で明ボタン１６の押操作を止めた場合は、その時点における光出力の設定値が記憶部４１に記憶され、予め記憶されていた光出力（図３におけるｄ）の設定値が更新される。
【００７５】
このような動作例５によれば、調光点灯時における光出力の設定値がエコモードにおける光出力と同等、若しくは大きい場合に、ワイヤレス送信機Ｂの明ボタン１６を押操作することで、蛍光ランプ１を全灯状態に容易に移行させることができる。
【００７６】
（動作例６）
次に、調光点灯時における光出力の設定値がエコモードにおける光出力の設定値より大きい場合について説明する。図４は、動作例６を説明するためのタイミングチャートである。
【００７７】
蛍光ランプ１が予め設定された光出力で調光制御されて点灯した状態（図４におけるｆ）で、ワイヤレス送信機Ｂの暗ボタン１７を押操作すると、ワイヤレス送信機Ｂから蛍光ランプ１の光出カを減少させるワイヤレス信号が送信される。
【００７８】
信号受信部６がこのワイヤレス信号を受信すると、調光制御部４は蛍光ランプ１の光出カを減少させる調光制御信号を生成して点灯回路部３に出カする。
【００７９】
点灯回路部３の駆動回路部３１は、この調光制御信号に応じてスイッチング周波数を変化させ、蛍光ランプ１の光出力を予め設定された光出力で調光制御されていた調光レベル（図４におけるｆ）から徐々に減少させる。
【００８０】
なおも、ワイヤレス送信機Ｂの暗ボタン１７を押操作し続けると、蛍光ランプ１の光出力はエコモードの明るさレベル（図４におけるｇ）で停止することなく、より暗い状態に移行する。
【００８１】
その後、暗ボタン１７の押操作を途中で止めなかった場合は、蛍光ランプ１の光出力はやがて調光下限（図４におけるｈ）に達する。調光制御部４は、ブザー７を第２の報知音、例えば、「ピピッ」というアラーム音で鳴動させるとともに、暗ボタン１７の押操作を止めても調光下限で点灯した状態を持続する。
【００８２】
なお、図４に示すｆ〜ｈの途中で暗ボタン１７の押操作を止めた場合は、その時点における光出力の設定値が記憶部４１に記憶され、予め記憶されていた光出力（図４におけるｆ）の設定値が更新される。
【００８３】
このような動作例６によれば、調光点灯時における光出力の設定値がエコモードにおける光出力の設定値より大きい場合に、ワイヤレス送信機Ｂの暗ボタン１７を押操作することで、蛍光ランプ１を容易に調光下限の状態で点灯させることができる。
【００８４】
以上説明したように、このような本発明の実施の形態に係る照明装置によれば、高周波専用蛍光ランプを用いた照明装置において、ワイヤレス送信機のボタンを操作することで、エコモードとして設定された従来の蛍光ランプと同等の明るさで容易に点灯させることができる。また、調光時に、調光レベルをワイヤレス送信機のボタン操作によって、明方向に連続して変化させていき、エコモードの明るさで停止させることができる。これにより、ユーザにエコモードの使用を促し、節電を図ることができる。
【００８５】
なお、本実施の形態では、エコモードにおける光出力を従来の蛍光ランプと同等と設定したが、高周波専用蛍光ランプの全灯の７０〜９０％の間に設定してもよい。
【符号の説明】
【００８６】
１  蛍光ランプ
２  常夜灯
３  点灯回路部
４  調光制御部
６  信号受信部
７  ブザー
１１  全灯ボタン
１２  調光ボタン
１３  常夜灯ボタン
１４  消灯ボタン
１５  エコボタン
１６  明ボタン
４１  記憶部
Ａ  器具ブロック
Ｂ  ワイヤレス送信機
【図１】
2010186708.tif 000003
【図２】
2010186708.tif 000004
【図３】
2010186708.tif 000005
【図４】
2010186708.tif 000006
【図５】
2010186708.tif 000007
【図６】
2010186708.tif 000008